(57)【要約】【課題】セメント硬化物よりなる内装パネルで屋内の水廻り部分の内装を行っても、内装パネルの裏面側への水分の浸入を防止することができる。【解決手段】屋内の壁面に、セメント硬化物よりなる内装パネル２を複数取付ける屋内の内装構造である。前記内装パネル２の表面が防水性を有し、且つ、前記内装パネル２同士の隣接端部に実部３が形成されて隣り合う前記内装パネル２同士が前記実部３部分で重複し、前記重複する実部３間に水膨張性樹脂４を設ける。【選択図】図１
2012046957.tif 000002
【特許請求の範囲】
【請求項１】
屋内の壁面に、セメント硬化物よりなる内装パネルを複数取付ける屋内の内装構造であって、前記内装パネルの表面が防水性を有し、且つ、前記内装パネル同士の隣接端部に実部が形成されて隣り合う前記内装パネル同士が前記実部部分で重複し、重複する前記実部間に水膨張性樹脂を設けて成ることを特徴とする屋内の内装構造。
【請求項２】
前記実部部分に前記水膨張性樹脂が接着してあることを特徴とする請求項１記載の屋内の内装構造。
【請求項３】
前記水膨張性樹脂が水膨張性ポリエーテル型ポリウレタンエラストマーであることを特徴とする請求項１又は請求項２記載の屋内の内装構造。
【発明の詳細な説明】
【技術分野】
【０００１】
本発明は、屋内の内装構造に関するものである。
【背景技術】
【０００２】
繊維セメント板のようなセメント硬化物よりなるパネルは、質感等に優れ且つ強度も強い。しかし、このパネルは、浴室のような屋内の水廻り部分の内装パネルとして使用すると、隣接する内装パネルの接続部分から内装パネルの裏面側に水が浸入し、この浸入した水を内装パネルが裏面側において吸水する。セメント硬化物よりなる内装パネルは、前記のように裏面側から吸水すると膨張し、反りや、歪みが発生しやすく、また、裏面側に黴が発生し易いという問題がある。
【０００３】
そこで、セメント硬化物の表面だけでなく、裏面にも塗装を塗布して防水処理を行うことが考えられるが、コストがかかり実用的でない。
【０００４】
このため、セメント硬化物よりなる内装パネルは、従来、浴室のような屋内の水廻り部分に使用できないのが現状である。
【０００５】
なお、特許文献１には、屋外において使用する表面に塗装をした石膏ボードよりなる建築用外壁材のラップジョイント部に水膨張性プレシーリング材を塗布することが開示してる。しかし、この従来例は、石膏ボードよりなる外装材であり、質感等に優れ且つ強度も強いセメント硬化物より内装パネルで屋内の内装を構成するものではない。
【先行技術文献】
【特許文献】
【０００６】
【特許文献１】特開平０９−１７６６１８号公報
【発明の概要】
【発明が解決しようとする課題】
【０００７】
本発明は前記の従来例の問題点に鑑みて発明したもので、セメント硬化物よりなる内装パネルで屋内の水廻り部分の内装を行っても、内装パネルの裏面側への水分の浸入を防止することができる屋内の内装構造を提供するにある。
【課題を解決するための手段】
【０００８】
本発明の屋内の内装構造は、屋内の壁面に、セメント硬化物よりなる内装パネルを複数取付ける屋内の内装構造であって、前記内装パネルの表面が防水性を有し、且つ、前記内装パネル同士の隣接端部に実部が形成されて隣り合う前記内装パネル同士が前記実部部分で重複し、重複する前記実部間に水膨張性樹脂を設けて成ることを特徴とする。
【０００９】
また、前記実部部分に前記水膨張性樹脂が接着してあることが好ましい。
【００１０】
また、前記水膨張性樹脂が水膨張性ポリエーテル型ポリウレタンエラストマーであることが好ましい。
【発明の効果】
【００１１】
本発明は、表面が防水性を有するセメント硬化物よりなる内装パネル同士の重複する実部間に水膨張性樹脂を設けているので、実部間に水が浸入すると、水膨張性樹脂が水により膨張して重複する実部間を隙間無く埋めて、裏面側に水が浸入しないようにできる。この結果、セメント硬化物よりなる内装パネルの裏面側に水が浸入してセメント硬化物が水を吸水するのが抑制され、セメント硬化物よりなる内装パネルの反り、歪みを抑制できる。また、セメント硬化物よりなる内装パネルの裏面側において湿気による黴の発生を抑制できる。
【図面の簡単な説明】
【００１２】
【図１】本発明の水膨張性樹脂が膨張する前の状態を示す断面図である。
【図２】同上の水膨張性樹脂が膨張した状態を示す断面図である。
【図３】同上の施工状態を示す斜視図である。
【図４】同上の内装パネルに水膨張性樹脂を塗布した状態を示す斜視図である。
【発明を実施するための形態】
【００１３】
以下、本発明を添付図面に示す実施形態に基づいて説明する。
【００１４】
内装パネル２は繊維セメント板のようなセメント系硬化物より形成している。この内装パネル２は板状をしていて端部に、隣接する内装パネル２と重複接合するための実部３を一体に形成している。
【００１５】
添付図面には、内装パネル２の一側端面の裏面側半分を外側方に突出して実部３となる後側突部３ａを形成すると共に、他側端面の表面側半分を外側方に突出して実部３となる前側突部３ｂを形成し、後側突部３ａと前側突部３ｂを重複接合する例を示している。
【００１６】
もちろん、実部３の構造としては添付図面に示す例のみに限定されず、一側端面に実部３となる凸部を形成し、他側端面に実部３となる凹部を形成し、凸部を凹部に嵌合することで互いに重複する構造としてもよい。
【００１７】
また、内装パネル２は、表面に防水性を有する防水性表層５を形成している。防水性表層５は、例えば、セメント系硬化物よりなる内装パネル２の表面に防水性を有する塗料を塗布することで形成するが、これにのみ限定されず、塗装以外の方法で防水性表層５を形成してもよいのはもちろんである。
【００１８】
ここで、前記防水処理は、実部３部分にも前記と同様に行ってよい。
【００１９】
前記のような構成のセメント系硬化物よりなる内装パネル２を、浴室、洗面所、台所等の高湿度になりやすい水廻り室の壁面１に複数取付けて内装施工をする。
【００２０】
内装パネル２は、釘、木ねじ等の固着具により直接壁面１に取付けるか、又は、取付け金具等を用いて壁面１に取付ける。
【００２１】
この際、内装パネル２は、図１、図３のように、隣接する内装パネル２の端部に形成した実部３同士が重複するように施工する。この隣接する内装パネル２の実部３同士の重複部分に、図１のように重複する実部３間に水膨張性樹脂４を設ける。
【００２２】
また、他の内装パネル２の端部と重複しない内装パネル２の端部は、内装パネル２の端部と壁面間、あるいは、内装パネル２の端部と天井面間、あるいは、内装パネル２の端部と床面間に水膨張性樹脂４を設けて水分が裏面側に浸入しないようにする。
【００２３】
他の例としては、壁面や天井面や床面に取付た縁材（図示せず）により内装パネル２の端部を覆うと共に、縁材の内面と内装パネル２の端部との間に水膨張性樹脂４を設け、水分が裏面側に浸入しないようにする。
【００２４】
縁材は、例えば、コ字状の嵌め込み溝部を有し、この嵌め込み溝部に内装パネル２の端部を嵌め込み、嵌め込み溝部の内面と内装パネル２の端部との間に水膨張性樹脂４を設ける。
【００２５】
前記各例において水膨張性樹脂４を内装パネル２に塗布しておくのが好ましい。この場合、工場であらかじめ内装パネル２に水膨張性樹脂４を塗布してもよく、また、内装パネル２の施工の際に内装パネル２に水膨張性樹脂４を塗布してもよい。
【００２６】
内装パネル２の端部への水膨張性樹脂４の塗布に当たって、実部３部分においては、重複する実部３のうち一方又は両方の重複のために重なる面の長手方向の全長にわたって線状に塗布する。
【００２７】
また、内装パネル２の外周端部（４辺）のうち、全ての辺に実部３を設ける場合と、一部の辺にのみ実部３を設け、他の辺には実部３を設けない場合がある。ここで、内装パネル２の一部の辺に実部３を設けない場合には、実部３を設けていない辺においては、内装パネル２の端面、端部裏面、端部表面に辺にそった長手方向の全長にわたって線状に塗布する。
【００２８】
水膨張性樹脂４を線状に塗布するに当たっては、図４のように直線状に一列塗布したり、あるいは図示を省略しているが、複数列並列するように塗布したりする。
【００２９】
使用する水膨張性樹脂４としては、例えば水分により膨張する水膨張性ポリエーテル型ポリウレタンエラストマーを挙げることができるが、必ずしもこれにのみ限定されるものではない。
【００３０】
このようにして屋内の浴室、洗面所、台所等の高湿度になりやすい水廻り室の壁面１に複数のセメント硬化物よりなる内装パネル２を取付けて内装施工を行う。
【００３１】
ところで、屋内の浴室、洗面所、台所等の高湿度になりやすい水廻り室においては、前記セメント硬化物よりなる内装パネル２を取付けた内装構造部分に、直接水がかかったり、あるいは長時間高湿度環境下に晒されることになる。
【００３２】
セメント硬化物よりなる内装パネル２は表面に防水性表層５を形成しているので、表面に直接水がかかったり、長時間高湿度環境下に晒されても、表面側から内装パネル２内に水分が吸水されることはない。
【００３３】
一方、直接水がかかったり、長時間高湿度環境下に晒されると、内装パネル２の端部の実部３と実部３とが重なって接合している部分の間から水分が内装パネル２の裏面側に浸入しようとする。
【００３４】
しかしながら、前記のように、重複する実部３間に水膨張性樹脂４を設けているので、重複した部分に浸入した水分により図２のように水膨張性樹脂４が膨張し、重複する実部３間を密閉し、水分が裏側に浸入するのを阻止する。
【００３５】
水膨張性樹脂４が膨張すると、膨張圧により、表面が微細な凹凸面となっているセメント硬化物よりなる内装パネル２の実部３の凹凸面に水膨張性樹脂４が密着し、重複する実部３間を確実に密閉することができる。
【００３６】
このように、水廻り室の壁面１にセメント硬化物よりなる内装パネル２を取付けて内装施工をしても、内装パネル２の裏面側に水分が浸入するのが抑制されるので、内装パネル２の裏面から水を吸水し、内装パネル２が膨らむことが抑制される。
【００３７】
したがって、セメント硬化物よりなる内装パネル２の反り、歪みが発生せず、このセメント硬化物よりなる内装パネル２を水廻り室の壁面１の内装仕上げ材として使用しても問題がない。
【００３８】
また、セメント硬化物よりなる内装パネル２は、表面側のみ防水処理をし、裏面側は防水処理をする必要がないので、セメント硬化物よりなる内装パネル２の製造コストを低減できる。
【００３９】
なお、水廻り室の壁面１の全面にセメント硬化物よりなる内装パネル２を取付けて、内装施工してもよく、あるいは、水廻り室の壁面１の一部にセメント硬化物よりなる内装パネル２を取付けて、内装施工してもよい。
【００４０】
また、セメント硬化物よりなる内装パネル２を取付ける水廻り室の壁面１とは、内装仕上げ材を施工する前の壁下地材であるが、壁下地材上に施工した既設の内装仕上げ材であってもよい。
【００４１】
後者の場合は、改装工事でセメント硬化物よりなる内装パネル２を壁面１に取付ける場合において有効であり、壁面１である既設の内装仕上げ材を除去することなくセメント硬化物よりなる内装パネル２を壁面１に取付けることができる。
【符号の説明】
【００４２】
１  壁面
２  内装パネル
３  実部
４  水膨張性樹脂
【図１】
2012046957.tif 000003
【図２】
2012046957.tif 000004
【図３】
2012046957.tif 000005
【図４】
2012046957.tif 000006